(57)【要約】【課題】ドットマトリクス表示器を有するディジタルミキサにおいて、表示器に所定のドキュメントを表示できるようにするとともに、タイムコードが進むに連れてその参照すべき位置が変更されていく場合に、その位置が変更されたことを操作者に認識させてその参照を促すことができ、また現タイムコードに応じた位置でドキュメントを容易に参照でき、さらにそのようなドキュメントの表示とミキサの各種パラメータ設定の画面表示とを簡単に切り換えつつ作業を進めることができるようにすることを目的とする。【解決手段】現タイムコードに応じて表示すべきドキュメントの位置に変更があったとき、ドキュメントの表示をオンオフする操作子に関連する表示の表示態様を変更して表示する。これにより、ドキュメントの当該位置を参照すべきことをユーザに認識させる。オンオフ操作子の操作でドキュメントの当該位置の表示が行われる。【選択図】図１
2007274639.tif 000002
【特許請求の範囲】
【請求項１】
複数のパラメータを記憶するカレント記憶手段と、
前記カレント記憶手段に記憶された複数のパラメータに基づいて音響信号を処理する手段と、
ドキュメントを記憶するドキュメント記憶手段と、
前記ドキュメント上の位置とタイムコードとの組合せを複数記憶するシーケンス記憶手段と、
タイムコードを受け取る手段と、
ドットマトリクス表示を行なう表示器と、画面選択操作子と、パラメータを制御するパラメータ操作子と、ドキュメント表示のオンオフ操作子とを備えた操作パネルと、
前記パラメータ操作子の操作に応じて、前記カレント記憶手段に記憶された複数のパラメータのうちの少なくとも１つのパラメータ値を変更する変更手段と、
受け取ったタイムコードが、前記シーケンス記憶手段の記憶する何れかの組合せのタイムコードのタイミングとなったことを検出し、現在位置を該検出された組合せの位置に更新するとともに、その時点で前記オンオフ操作子がオフであれば、該オンオフ操作子に関連した表示を通常とは異なる表示態様に変更する現在位置更新手段と、
前記オンオフ操作子のオン操作に応じて、該オンオフ操作子に関連した表示を通常の表示態様に戻すとともに、前記ドキュメントの前記現在位置のデータを前記表示器に表示させ、また前記オンオフ操作子のオフ操作に応じて、前記画面選択操作子により直前に選択されていた画面を前記表示器に表示させる表示制御手段と
を備えることを特徴とするドットマトリクス表示器を有するディジタルミキサ。
【請求項２】
請求項１に記載のディジタルミキサにおいて、
前記操作パネルが備えている各種操作子は、前記表示器に操作子を示す画像を表示し、画面上で操作可能としたものであることを特徴とするドットマトリクス表示器を有するディジタルミキサ。
【請求項３】
請求項１に記載のディジタルミキサにおいて、
前記ドキュメントは、複数のタイムコード情報とそのタイムコードの時刻に表示すべき位置を示す情報とを含み、
予め前記ドキュメントから前記ドキュメント上の位置とタイムコードとの組合せを抽出し、タイムコードの時刻値に基づいてソートして、前記シーケンス記憶手段に記憶する抽出手段を
さらに備えることを特徴とするドットマトリクス表示器を有するディジタルミキサ。
【発明の詳細な説明】
【技術分野】
【０００１】
この発明は、ドットマトリクス表示器を有するディジタルミキサに関し、特に所定のドキュメントを見ながらミキサ操作するのに好適なディジタルミキサに関する。
【背景技術】
【０００２】
従来より、マイクロフォンなどの各種の音響信号源からの音響信号を入力し、ミキシング処理、効果付与処理、及び音量レベル制御処理などを行い、処理後の音響信号をアンプやスピーカなどの各種の出力機器に出力するミキサ装置が知られている。近年では、内部的な信号処理をディジタル処理で行うディジタルミキサが開発されている。
【０００３】
ディジタルミキサの基本動作は以下のようなものである。まず、外部から入力する複数の信号を複数の入力ｃｈ（チャンネル）に入力し、各入力ｃｈ毎にその信号の特性を制御して、複数のＭＩＸバスのうちの所望のＭＩＸバスに出力する。複数のＭＩＸバスでは、それぞれ、入力する信号を混合して、各ＭＩＸバスに対応した出力ｃｈに出力する。複数の出力ｃｈでは、それぞれ、入力する信号の特性を制御して外部に出力する。操作パネルには、ミキサの全パラメータ（複数の入力ｃｈ、出力ｃｈ、その他エフェクタなどの多数のパラメータ）数と比較して、少ない数の操作子が用意されており、その多数のパラメータのうちからユーザにより選択されたパラメータがそれらの操作子に割り当てられる。操作子の操作に応じて、当該操作子に割当てられているパラメータ値が制御される。
【０００４】
ディジタルミキサは、パラメータ画面やその他の設定画面を表示するためのドットマトリクス表示器（以下、ＤＭ表示器という）を備えている。ユーザは、画面選択操作子を操作して、ＤＭ表示器に自分が確認したり設定したいパラメータ画面を表示させ、その画面を見て各種の設定値を確認したり、その画面を見ながら操作子を操作して各種の設定値の変更を行う。
【０００５】
上述したディジタルミキサの動作を規定する各種のパラメータはカレントメモリに保存され、逆に言えばカレントメモリ上のパラメータ値に基づいてディジタルミキサの動作が規定される。さらに、ディジタルミキサは、複数のシーン（シーンデータ）を格納するシーンメモリを備えている。そして、カレントメモリ上のパラメータ値を１つのシーンとしてシーン番号を付けてシーンメモリに格納（ストア）することができる。また、シーン番号を指定して、シーンメモリからカレントメモリに当該シーンのパラメータ値を呼び出す（リコール）ことができる。
【０００６】
上述したディジタルミキサではタイムコードベースの動作が行われる。すなわち、別の機器から供給される、ないし、ミキサ内部で発生したタイムコードを、時刻の基準として、各種動作を行っている。例えば音響支援用ミキサでは、タイムコードの値とそのタイムコードの時点でリコールするシーンとを登録したイベントリストを予め作成しておき、タイムコードが進むに連れてシーンを自動的に切り換えていく機能を持つものがある（非特許文献１，２参照）。また、音楽製作用ミキサでは、タイムコードに応じて、シーンの選択だけでなく、任意のパラメータの値を変化させることができる、いわゆるオートミックスの機能を持つものがある。
【非特許文献１】「CS1D CONTROL SURFACE 取扱説明書」P.33-35、ヤマハ株式会社、２００２年
【非特許文献２】「PM5D DIGITAL MIXING CONSOLE  取扱説明書」P.157-160、ヤマハ株式会社、２００４年
【発明の開示】
【発明が解決しようとする課題】
【０００７】
このようなミキサの操作者は、紙に書かれたドキュメント（進行表など）を参照しながら作業を行うのが通常である。例えば、イベント、コンサート、演劇、レコーディングでは、ミキサの操作者は、スケジュール表、台本、歌詞カード、楽譜などの冊子やカードをミキサの近傍に用意し、それで作業の進行を確認しながら操作を行っていた。
【０００８】
ところで、操作者は、演劇などの進行に応じてこのような紙に書かれたドキュメントをページをめくりながら追いかける必要があり、この作業は繁雑である。また、操作者の熟練度や好みによって、このシーンについては進行表を確認しながら行いたいが、その他のシーンについては進行表を確認しなくてもよい、という場合もある。熟練度の低い操作者の場合は、現在開いてある進行表のページを見れば必要十分であるのに、何か他に見る必要のある項目が進行表に記載されているのではないかと考え、必要もないのに前後のページなどを確認するというケースもある。
【０００９】
また、上記演劇などでは予め決められたタイムスケジュール通りに進むとは限らず、動作の基準時刻となっているタイムコードを変更しなければならないことがある。例えば、ミキサに接続されたレコーダを操作してタイムコード位置を変更した場合、操作者は、それに応じてドキュメント上の位置を探し直さなければならないという不都合があった。
【００１０】
この発明は、ＤＭ表示器を有するディジタルミキサにおいて、当該ＤＭ表示器に進行表などの所定のドキュメントを表示できるようにするとともに、タイムコードが進むに連れてドキュメントの参照すべき位置が変更されていく場合に、その参照すべき位置が変更されたことを操作者に認識させてその参照を促すことができ、また常に現タイムコードに応じた位置で当該ドキュメントを容易に参照でき、さらに、そのようなドキュメントの表示とミキサの各種パラメータ設定の画面表示とを簡単に切り換えつつ作業を進めることができるようにすることを目的とする。
【課題を解決するための手段】
【００１１】
上記目的を達成するため、本発明は、カレント記憶手段に記憶された複数のパラメータに基づいて音響信号を処理するディジタルミキサにおいて、所定のドキュメントについてそのドキュメント上の位置とタイムコードとの組合せを複数記憶するシーケンス記憶手段を設ける。また、タイムコードを受け取る手段と、ドットマトリクス表示を行なう表示器と、画面選択操作子と、パラメータを制御するパラメータ操作子と、ドキュメント表示のオンオフ操作子とを備えた操作パネルと、パラメータ操作子の操作に応じてカレント記憶手段に記憶された複数のパラメータのうちの少なくとも１つのパラメータ値を変更する変更手段とを設ける。操作パネルが備える各種操作子は、ハードウエアの操作子でもよいし、表示器に操作子の画像を表示して画面上で操作できるようにしたものでもよい。そして、受け取ったタイムコードが、前記シーケンス記憶手段の記憶する何れかの組合せのタイムコードのタイミングとなったことを検出し、現在位置を該検出された組合せの位置に更新するとともに、その時点で前記オンオフ操作子がオフであれば、該オンオフ操作子に関連した表示を通常とは異なる表示態様に変更する。オンオフ操作子に関連した表示を通常とは異なる表示態様に変更するというのは、例えばオンオフ操作子が画面上に表示されているものであれば、それを点滅表示したり、色や形を変えたりすることである。また、例えばオンオフ操作子がハードウエアの操作子であれば、該操作子上あるいはその近くにあるランプを点滅させたりしてもよい。要するに、オンオフ操作子に関連した表示を通常とは異なるようにして、ドキュメントの表示位置が変更されていることを操作者に知らせればよい。オンオフ操作子のオン操作に応じて、該オンオフ操作子に関連した表示を通常の表示態様に戻すとともに、前記ドキュメントの前記現在位置のデータを前記表示器に表示させ、また前記オンオフ操作子のオフ操作に応じて、前記画面選択操作子により直前に選択されていた画面を前記表示器に表示させる。
【００１２】
前記ドキュメントは、複数のタイムコード情報とそのタイムコードの時刻に表示すべき位置を示す情報とを含み、予め前記ドキュメントから前記ドキュメント上の位置とタイムコードとの組合せを抽出し、タイムコードの時刻値に基づいてソートして前記シーケンス記憶手段に記憶する抽出手段を備えるようにすると良い。
【発明の効果】
【００１３】
本発明によれば、オンオフ操作子をオンしている間だけ、ドキュメントの、現在のタイムコードに対応する現在位置の情報を表示器に表示させることができ、オンオフ操作子をオフすれば、表示器に表示される画面を、画面選択操作子により直前に選択されていたパラメータ画面に直ちに戻すことができる。また、ドキュメントの複数の位置について、それぞれタイムコードが指定されている場合に、現在のタイムコードがそのいずれかのタイムコードのタイミングになったとき、ドキュメントの表示位置をその対応する位置に更新するとともに、ドキュメントの表示がオフになっていれば、オンオフ操作子に関連する表示を通常とは異なる表示態様に変更する。すなわち、ドキュメントの表示を行っていない場合でも、タイムコードに応じてドキュメントの現在位置が更新されると、オンオフ操作子に関連した表示が変化するので、現在位置の更新があったことを視認することができ、その時点で必要に応じてオンオフ操作子を操作し、ドキュメントを確認することができる。従って、操作者は、その熟練度にかかわらず、容易にドキュメントの現在位置が更新されたことを知ることができ、視認したい場合は直ちにその表示ができる。
【発明を実施するための最良の形態】
【００１４】
以下、図面を用いてこの発明の実施の形態について説明する。
【００１５】
図１は、この発明の一実施形態に係るＤＭ表示器を有するディジタルミキサのブロック構成図である。このミキサ１００は、中央処理装置（ＣＰＵ）１０１、フラッシュメモリ１０２、ランダムアクセスメモリ（ＲＡＭ）１０３、その他Ｉ／Ｏ（入出力インターフェース）１０４、表示器１０５、電動フェーダ１０６、操作子１０７、タイムコードＩ／Ｏ１０８、波形Ｉ／Ｏ１０９、信号処理部１１０、およびバスライン１１１を備える。
【００１６】
ＣＰＵ１０１は、このミキサの全体の動作を制御する処理装置である。フラッシュメモリ１０２は、ＣＰＵ１０１が実行する各種の制御プログラムや処理に使用する各種のデータなどを格納した不揮発性メモリである。ＲＡＭ１０３は、ＣＰＵ１０１が実行するプログラムのロード領域やワーク領域に使用する揮発性メモリである。その他Ｉ／Ｏ１０４は、本ミキサを外部からコントロールするコンピュータなどの各種の外部機器を接続するためのインターフェースである。表示器１０５は、このミキサの外部パネル上に設けられた各種の情報を表示するためのドットマトリクス方式のディスプレイである。電動フェーダ１０６は、このミキサの外部パネル上に設けられた各種パラメータの値設定用の操作子である。操作子１０７は、このミキサの外部パネル上に設けられた各種の操作子である。
【００１７】
１２０はこのミキサ１００と接続されているマルチトラックレコーダである。マルチトラックレコーダ１２０は、ハードディスクなどの記録装置を備え、複数トラックの同時録音及び同時再生が可能なものである。波形Ｉ／Ｏ１０９は、マルチトラックレコーダ１２０やその他の入出力機器（例えば、マイクロフォンなどの入力機器から入力したアナログ音響信号をアナログ／ディジタル変換して入力するＡＤ変換カードや、本ミキサから出力されるディジタル音響信号をディジタル／アナログ変換してサウンドシステムに出力するＤＡ変換カードなど）との間の入出力インターフェースである。信号処理部１１０は、波形Ｉ／Ｏ１０９経由で入力したディジタル音響信号を複数の入力ｃｈ（チャンネル）に任意に割当て、複数のミキシングバスにより各入力ｃｈの音響信号を任意にミキシングし、出力ｃｈ経由で出力する処理を行うＤＳＰ（ディジタル信号処理装置）である。各入力ｃｈや出力ｃｈでは、フェーダ１０６を用いた音量レベル設定、周波数特性の制御、各種波形変形処理、及び効果付与処理などを行うことができる。これにより、マイクなどの入力機器から入力した音響信号に対しＤＳＰ１１０でミキシング・レベル設定・効果付与などの処理を施しマルチトラックレコーダ１２０の所定のトラックに録音したり、マルチトラックレコーダ１２０の所定のトラックを再生しながらＤＳＰ１１０で処理した後別のトラックへ録音したり、マルチトラックレコーダ１２０の所定のトラックを再生しＤＳＰ１１０で処理した後放音する、などの処理が可能である。
【００１８】
タイムコードＩ／Ｏ１０８は、マルチトラックレコーダ１２０から出力されるタイムコードを入力するインターフェースである。タイムコードは、ミキサ１００とレコーダ１２０との同期を取るための時間情報であり、ここでは、「時間：分：秒．フレーム」のようにコロンとピリオドで区切って表記する。以下、レコーダ１２０から入力した現時点のタイムコードを「現タイムコードＴＣ」と呼ぶ。なお、本実施形態ではレコーダ１２０からのタイムコードで同期を取るようにしているが、ミキサ１００内部で生成されるタイムコードを用いてもよい。
【００１９】
図２は、図１のディジタルミキサ１００の外部パネル上の外観を示す。２０１は１０個の画面選択スイッチ、２０２はドットマトリクス（ＤＭ）表示部、２０３は割当ｃｈストリップ部、２０４〜２０５はＤＭ表示部２０２の下部に設けられた複数のロータリエンコーダ、２１１〜２１４は上下左右のカーソル移動ボタン、２１５はＤＥＣボタン、２１６はＩＮＣボタン、２１７はエンターキー、２１８はホイールである。割当ｃｈストリップ部２０３は、８本の割当ｃｈストリップ２０３−１〜２０３−８を備える。１本の割当ｃｈストリップ（例えば、２０３−１）は、電動フェーダ２３１、ＯＮスイッチ２３２、及びＳＥＬスイッチ２３３を備える。他の割当ｃｈストリップ２０３−２〜２０３−８も同様の構成である。
【００２０】
画面選択スイッチ２０１のうち何れかをオンすると、そのスイッチに対応する複数ｃｈ（８ｃｈ分）のパラメータ設定状況を示すグループ画面がＤＭ表示器２０２に表示され、８本の割当ｃｈストリップ２０３−１〜２０３−８は、そのグループ画面に表示された８ｃｈ分の各ｃｈに割り当てられる。電動フェーダ２３１は、割り当てられたｃｈのレベル制御用のフェーダである。ＯＮスイッチ２３２は、当該ｃｈの信号のオン／オフを切り換えるスイッチである。ＳＥＬスイッチ２３３は、当該ｃｈに関する詳細なパラメータ設定を行う画面（「詳細パラメータ設定画面」と呼ぶ）をＤＭ表示器２０２に表示することを指示するスイッチである。ＳＥＬスイッチ２３３を押下して詳細パラメータ設定画面を表示した後、再度同じＳＥＬスイッチ２３３を押下すると、元のグループ画面が再表示される。ロータリエンコーダ２０４〜２０５は、グループ画面中に表示されているパラメータのうち選択状態にある所定のパラメータの値を変更するためのものである。画面が詳細パラメータ設定画面に切り換えられたとき、ロータリエンコーダ２０４〜２０５は、該画面中の所定のパラメータの値を変更するための操作子となる。
【００２１】
グループ画面及び詳細パラメータ設定画面のどちらも、画面上にはカーソルが表示されている。カーソルがセットされているパラメータが、選択状態のパラメータである。カーソル移動ボタン２１１〜２１４を用いて、画面上に表示されているカーソルを所望のパラメータにセットし、ＤＥＣボタン２１５、ＩＮＣボタン２１６、及びホイール２１８を操作して、そのパラメータの値を変更し、エンターキー２１７で決定することができる。なお、ＤＭ表示部２０２はタッチパネルになっており、画面上に表示されているボタンを指などで触れることによりオン／オフしたり、表示されているパラメータ項目に触れて選択／解除を行うことなどが可能である。
【００２２】
以上のように、画面選択スイッチ２０１により画面を切り換え、割当ｃｈストリップの機能をその画面に応じて切り換えながら各ｃｈに関するパラメータ設定を行い、あるいは、表示画面中のパラメータの選択状態を切り換えながら操作子２１５〜２１８，２３４を当該選択状態のパラメータを変更する操作子として機能させるので、ミキサの全パラメータ数と比較して少ない数の操作子により全てのパラメータ値の制御を行うことができる。  次に、シーンに関連する操作子等２２１〜２２５について説明する。シーン（シーンデータ）とは、ミキサの設定状態を規定するパラメータデータ（例えば、入力ラインと入力ｃｈとの結線状態、出力ｃｈと出力ラインとの結線状態、各ｃｈにおけるパラメータ設定状態など）の組合せである。本ミキサはカレントメモリを備えており、カレントメモリ上のパラメータ設定状態に基づいて動作する。また、本ミキサはシーンメモリ（ミキサの電源をオフしても記憶内容が消えないもの）を備えており、カレントメモリ上のパラメータデータは、シーン番号を付けてシーンメモリに保存（ストア）し、逆にシーン番号を特定してシーンメモリからカレントメモリにシーンを呼び出す（リコール）ことができる。具体的には、アップボタン２２３及びダウンボタン２２４を用いてシーン番号表示部２２１に表示されるシーン番号を変更し、リコールボタン２２５を押下することによりその番号のシーンをリコールする。また、シーン番号を特定してストアボタン２２２を押下することにより、現在のカレントメモリ上のパラメータ設定状態を、そのシーン番号のシーンとしてストアする。シーン番号表示部２２１は、通常は、現在カレントメモリ上に呼び出されているシーンの番号を表示する。なお、後述するイベントリストに応じてシーンが自動的に切り換えられていくとき、シーン番号表示部２２１の表示も切り換わるものとする。
【００２３】
次に、イベントリストに基づくシーンリコールの際に使用するＮＥＸＴボタン２４１とＰＲＥＶボタン２４２について説明する。本ミキサは、イベントリスト（以下、「Ｅリスト」と呼ぶ。その詳細は図５（ａ）で説明する。）にシーンを順番に登録しておき、予め設定したタイムコード（あるいは自動呼び出しするシーン間の間隔であるインターバルを予め設定しておく方式でもよい）のタイミングで自動的にシーンリコールする機能を備えている。これにより、演劇、コンサート、レコーディングなどにおいて時間軸に沿った自動的なミキサの設定が行える。一方、上述の演劇等ではマニュアルでシーンを切り換えたい場合もあるので、Ｅリスト中にタイムコードの代わりにマニュアル操作で呼び出す旨を指定してシーン番号を設定できるようにしている。Ｅリストに沿って時間の経過に従ってシーンを順番にリコールしていく際に、当該Ｅリスト中にマニュアル操作のシーン番号が出現したときには、その時点でシーンリコールせずに待ち状態となり、ＮＥＸＴボタン２４１が押下されたタイミングで当該シーン番号のシーンをリコールする。また、シーンを戻したいこともあるので、ＰＲＥＶボタン２４２を備えている。ＰＲＥＶボタン２４２を押下すると、Ｅリスト中の１つ前のシーンの設定状態（すなわち、最後にリコールしたイベントの１つ前の行のイベントがリコールされ、そのイベントが選択状態となる）に戻る。
【００２４】
なお、ボタン２５３については後に説明する。また、ボタン２５１，２５２，２５４，２５５は、本実施形態の装置では存在しないボタンであり、変形例で説明するものとする。
【００２５】
図３は、図２のＤＭ表示部２０２に表示される通常表示の例を示す。通常表示とは、次に説明するＤＯＣ表示ではないことを示すものであり、上述したグループ画面や詳細パラメータ設定画面などが主な通常表示の画面である。図３は詳細パラメータ設定画面の例を示した。通常表示の画面（通常画面）は、第１表示領域３０１と第２表示領域３０２に分かれている。第１表示領域３０１には、各種のパラメータ値の設定状況を示すグラフや数値の表示、及びそれらのパラメータを操作するためのボタンやつまみなどの操作子が表示されている。ここでは詳細パラメータ設定画面の表示例を示したが、グループ画面も同様である。第２表示領域３０２には、後述するイベントリストの処理開始時を０とした相対的な時間表示３２１、ＤＯＣ表示ボタン３２２、現時点で呼び出されているシーンの番号表示３２３、及びその他の情報が表示される。第１表示領域３０１の表示内容が変更されても、第２領域３０２の表示項目は変わらない。また、次に説明するＤＯＣ表示に切り替わっても、第２領域３０２の表示項目は変わらない。
【００２６】
図４は、図３の通常表示の状態からＤＯＣ表示ボタン３２２を押下（指などでタッチする、またはカーソルをセットしてエンターキーを押すなどの操作による）して、予め指定されているドキュメント（進行表など）を表示した状態を示す。ＤＯＣ表示ボタン３２２は、押下される毎にオン／オフを切り換えるボタンとなっており、オンしたときは、ボタンがオンされているような表示態様で表示される（図では斜線で示した）。ＤＯＣ表示がオンされると、第１表示領域３０１には、指定されているドキュメントが表示される。４１１は目次の表示、４１２は文書本体の表示である。４１３は目次の表示４１１をスクロールさせるときに選択するつまみの表示、４１４は文書本体の表示４１２をスクロールさせるときに選択するつまみの表示である。つまみ４１３を選択し、パネル上の所定の操作子を操作することで、目次の表示４１１がスクロールされる。つまみ４１４を選択し、パネル上の所定の操作子を操作することで、文書本体の表示４１２がスクロールされる。つまみ４１３，４１４の下部にあるロータリエンコーダ２０４，２０５は、ＤＯＣ表示されたときその機能が切り替わり、つまみ４１３，４１４を選択しなくても、ロータリエンコーダ２０４，２０５を操作すると、それぞれ目次の表示４１１と文書本体の表示４１２がスクロールされるようになっている。なお、ＤＯＣ表示の際にはロータリエンコーダ２０４，２０５で目次と文書本体のスクロールができるので、つまみ４１３，４１４の表示は無くしてもよい。
【００２７】
４１５は自動追従モードのオン／オフを切り換える自動追従ボタンである。自動追従ボタンがオンのとき、第１表示領域３０１に表示されるドキュメントは、自動的にその時点の現タイムコードＴＣに応じた位置にリアルタイムに位置付けられて表示される。タイムコードとドキュメントの表示位置との関係は、予めＤリスト（図５（ｂ）で後述する）に設定しておく。自動追従モードがオンの状態でＤＯＣ表示ボタン３２２をオフすると、画面は直前の通常画面（図３）に戻るが、内部的には自動追従モードオンの状態が保持されている。その状態で、現タイムコードＴＣが進み、Ｄリストに登録されている次に画面が変わる時刻になったときは、ＤＯＣ表示ボタン３２２が点滅し、ドキュメントの表示位置の変更があることをユーザに知らせる。これにより、ユーザは、その時点で参照すべきドキュメント内容があることを知ることができる。その後、ユーザがＤＯＣ表示ボタン３２２をオンすると、現タイムコードに応じたドキュメントの位置が表示される。自動追従ボタンがオンで、ＤＯＣ表示が為されている場合も、上述したスクロール操作は可能である。ただし、Ｄリストに登録されている次に画面が変わる時刻になったときは、自動的に新たな位置が表示される。なお、自動追従モードがオンのときにユーザ操作によるスクロールが行われたら、強制的に自動追従モードオフにすることとしてもよい。この場合、自動追従モードをオンにしたとき、その時点のタイムコードＴＣに応じた位置に再表示するとよい。また、自動追従モードがオンのときは、ユーザ操作によるスクロールを禁止することとしてもよい。
【００２８】
自動追従モードがオフのときは、上記の自動追従の処理を行わない。従って、通常画面の状態からＤＯＣ表示ボタン３２２をオンすると、直前にＤＯＣ表示していたドキュメントの位置が表示される。
【００２９】
なお、画面が図４のＤＯＣ表示に切り替わっても、図３の通常画面におけるパネル上の操作子の機能割当ては、（図４のＤＯＣ表示画面でロータリエンコーダ２０４，２０５の機能がスクロール用に変わることを除き、）変わらない。従って、ＤＯＣ表示画面の状態でも、パネル上の各種操作子でパラメータ値の設定変更が行える。
【００３０】
図２のＴＣ位置ボタン２５３は、その時点の現タイムコードＴＣと予め決められているＤリストのシーケンスに基づいて、現時点において表示すべき位置でドキュメントを再表示することを指示するボタンである。上述の自動追従モードがオフされている場合でも、ＴＣ位置ボタン２５３を押下すれば、その時点で表示すべき位置でドキュメントが再表示される。
【００３１】
なお、ハードウエアとしてのＴＣ位置ボタン２５３を廃止し、図３や図４の第２表示領域３０２にＴＣ位置ボタン２５３を配置して、画面上でオンオフできるようにしてもよい。また、上記ではＤＯＣ表示ボタン３２２や自動追従ボタン４１５を画面上のボタンとしたが、変形例として、これらを図２の２５１、２５２に示すようなハードウエアのボタンで設けてもよい。この場合、画面上のＤＯＣ表示ボタン３２２を点滅させる代りに、ハードウエアとしてのＤＯＣ表示ボタン２５１上あるいはその近くに設けたランプを点滅させたり色を変えたりする方法を用いればよい。また、ＤＯＣ表示におけるスクロールを行うためのアップボタン２５４及びダウンボタン２５５を設けてもよい。アップボタン２５４及びダウンボタン２５５の同時押しにより、ＴＣ位置ボタン２５３の機能を実現させてもよい。
【００３２】
図５（ａ）は、上述のＥリストの例を示す。Ｅリストは、Ｎｏ．５０１、トリガデータ５０２、及びシーン５０３の各フィールドを持つテーブルである。Ｎｏ．５０１は、登録する各イベントの通し番号を示す。トリガデータ５０２は、対応するシーンに切り換える時刻を示すタイムコード値であり、処理開始時を０とした相対的な時刻値（「時間：分：秒．フレーム」で表記）で示す。シーン５０３は、対応するトリガデータ５０２の時刻になった時点でリコールすべきシーン番号及びシーン名（ユーザが任意につけられる）を示す。ＥＤ５０４は、Ｅリストのイベントを指すポインタであり、常に次に呼び出すべきシーンのイベントを指すように用いられる。ＥＤ５０４が指すイベントが選択状態のイベントである。図示したＥリストの例では、トリガデータ＝00:00:00.00の時点でシーン001:Moniをリコールし、次にトリガデータ＝00:00:38.02の時点でシーン002:St PAをリコールし、…というようにシーンが切り換わる。Ｎｏ．５０１が002や005のイベントは、トリガデータ５０２が[manual]となっているが、これはマニュアル操作で対応するシーンをリコールすることを示す。すなわち、Ｎｏ.001のイベントでシーン002:St PAが呼び出された後、ポインタＥＤ５０４は次のＮｏ.002のイベントを指すようにセットされるが、このイベントは[manual]であるので待ち状態に入る。操作者がＮＥＸＴボタン２４１を押下したとき、当該イベントのシーン003:Ho PAが呼び出され、ポインタＥＤ５０４が次に進む。
【００３３】
なお、図５（ａ）はＥリストの内部的なテーブル構造を示すが、Ｅリストにイベントを設定する際には、所定の操作により図５（ａ）に示すような表を画面上に表示し、操作者がトリガデータ５０２とシーン５０３を任意に設定するものとする。また、Ｅリストのオン／オフ（Ｅリストがオンのとき、上述のトリガデータに応じたシーンの自動切り換えを行う）は所定の操作で切り換えることができる。Ｅリストがオンの場合は、所定の操作により図５（ａ）に示すようなＥリストの表を表示することができる。この場合、タイムコードの進行に応じてポインタＥＤ５０４が進んで行くが、選択状態のイベントが表の表示範囲の中央付近に位置するように表示するものとする。また、ここではタイムコードに応じてシーンを自動切り換えする機能を説明したが、タイムコードに応じて任意のパラメータの値を変化させる、いわゆるオートミックスの機能も、同様にして実現できる。
【００３４】
図５（ｂ）は、上述のＤリスト（ＤＯＣ時刻タグリスト）の例を示す。Ｄリストは、Ｎｏ．５１１、トリガデータ５１２、及びドキュメント位置５１３の各フィールドを持つテーブルである。１レコードをＤイベントと呼ぶものとする。Ｎｏ．５１１は、登録する各Ｄイベントの通し番号を示す。トリガデータ５１２は、ドキュメントの表示位置を切り換える時刻を示すタイムコード値であり、処理開始時を０とした相対的な時刻値（「時間：分：秒．フレーム」で表記）で示す。ドキュメント位置データ５１３は、対応するトリガデータ５１２の時刻に到ったとき表示すべきドキュメントの位置を示す。なお、表示するドキュメントは予め指定されている。位置データはセクションＩＤで示している。詳しくは図５（ｃ）で説明するが、ＤＯＣ表示で表示するドキュメントは、表示内容が複数セクションに分けられており、各セクションにはセクションＩＤが付されている。図示したＤリストの例では、自動追従モードオンのとき、タイムコードＴＣ＝00:00:00.00の時点でセクションP001の位置を表示し、タイムコード＝00:00:30.32でセクションP002の位置を表示し、…というように表示位置が切り換わる。
【００３５】
図５（ｃ）は、表示するドキュメントの構造例を示す。ここではＸＭＬ形式のドキュメントの例を示す。５３１はこの文書がＸＭＬ形式であることを示すタグである。５３２は、このドキュメントがＤＯＣ表示用の文書であることを示すタグｂｕｎ及びそのバージョンの記載である。５３３はセクションタグであり、ここからタグ５３６までの範囲が１つのセクションであることを示している。同様に、この後に幾つかの任意のセクションを記載することができる。１つのセクションは、セクションタグ５３３に示すように、セクションＩＤとタイトルを備えている。また、セクション内には、タイマータグ５３４とテキスト本体５３５が記載される。タイマータグ５３４で指定されている時刻がその下のテキストブロック５３５で指定したテキストの内容を表示すべき時刻である。各セクションのセクションＩＤとタイマータグで指定されている時刻が抽出され、時刻でソートされて、図５（ｂ）のＤリストに設定される。
【００３６】
ここでは、表示するドキュメントとしてＸＭＬ形式のファイルを例に挙げたが、他の形式のファイルでもよい。例えば、テキストファイル、ＨＴＭＬ形式のファイル、ＰＤＦ形式のファイルなどでもよい。本実施形態では、ＸＭＬファイルのほかＴＸＴ（テキスト）ファイルを読み込むことができるものとする。また、位置データの指定方法は、セクションＩＤの代りに他の位置指定方式を用いてもよい。例えば、テキスト形式のドキュメントでは行番号５２１で、ＨＴＭＬ形式のドキュメントではアンカー名５２２で、複数のファイルに跨るドキュメントでは文書名と当該文書内の位置５２３で、複数のＨＴＭＬ文書に跨るドキュメントではパス名とアンカー名５２４で、それぞれ位置を指定するようにしてもよい。
【００３７】
図６は、図５（ｃ）で説明したようなＤＯＣ表示用の文書ファイルの読み込み処理を示す。この読み込みは、ユーザによる所定の操作に基づいて実行される。ステップ６０１で、読み込みを指定された文書がＸＭＬ形式かテキスト形式かを判定する。テキスト形式のときは、ステップ６０２でそのテキストファイルを読み込み、所定の記憶手段に記憶した後、ステップ６０３でドキュメントフラグＤＭに０を設定して終了する。ＸＭＬ文書のときは、ステップ６０４でそのＸＭＬファイルを読み込み、所定の記憶手段に記憶した後、ステップ６０５でｘｓｄバージョンをチェックする。このチェックは、図５（ｃ）で説明した文書タグ５３２のバージョンが本装置で読み込めるバージョン（すなわち、本装置にインストールされている文書表示プログラムで表示できるバージョン）かを判定するものである。適合していれば、そのＸＭＬ文書をＤＯＣ表示できるのでステップ６０６に進み、不適合の場合はＤＯＣ表示できないのでステップ６０３に進む。ステップ６０６で、読み込んだＸＭＬ文書内をスキャンし、各種リストを作成する。これにより、当該ＸＭＬ文書内の各セクションのセクションＩＤとタイマータグの時刻とが全て抽出され、時刻でソートされて、図５（ｂ）で説明したＤリストが生成される。カレントポインタＣＰはＤリストの先頭のイベントに位置付けられる。ステップ６０７でドキュメントフラグＤＭに１を設定し終了する。
【００３８】
なお、機器ＩＤやバージョンが適合しない場合であっても、処理可能な一部の機能（特定のアンカーやリンクなど）だけは有効にするようにしてもよい。
【００３９】
図７（ａ）は、図２のＮＥＸＴボタン２４１を押下したときに実行されるＮＥＸＴボタンオンイベント処理のフローチャートである。ステップ７０１で、図５（ａ）で説明したＥリストの現ポインタＥＤ５０４が指すイベントを再生（すなわち当該イベントのシーン５０３をリコール）する。ステップ７０２で、現ポインタＥＤ５０４を１つ後に進め、そのイベントを読み出しておく。ステップ７０３で、読み出したイベントのトリガデータ５０２が[manual]か判定し、そうであれば、ステップ７０５で当該ポインタＥＤが指しているイベントを赤文字で点滅表示（Ｅリストが表示されている場合）する。[manual]でなければ、ステップ７０６で当該ポインタＥＤが指しているイベントを黒文字で表示（Ｅリストが表示されている場合）する。ステップ７０６で、Ｅリストが画面表示中なら、現ポインタＥＤ５０４が指すイベントが選択状態のイベントとして画面の中央に来るように表示を更新する。
【００４０】
図７（ｂ）は、図２のＰＲＥＶボタン２４２が押下されたときに実行されるＰＲＥＶボタンオンイベントのフローチャートである。ステップ７１１で、現ポインタＥＤ５０４を、現在指しているイベントから２つ前のイベントを指すように移動する。ステップ７１２では、図７（ａ）で説明したＮＥＸＴボタンオンイベントと同じ処理を実行する。ステップ７１１を実行する前の状態では、現ポインタＥＤ５０４が指しているイベントの１つ前のイベントが最後にリコールしたイベントであるので、さらにその１つ前のイベントを指すようにステップ７１２で現ポインタＥＤ５０４を移動し、そのイベントを実行してミキサの設定状態を１つ前のシーンに戻すものである。現ポインタＥＤ５０４は、図７（ｂ）の処理に入る前に指していた位置から１つ前のイベントを指し、当該イベントが再生されるのを待っている状態となる。
【００４１】
図７（ｃ）は、図３や図４のＤＯＣ表示ボタン３２２が押下されたときに実行されるＤＯＣボタン操作イベントのフローチャートである。ステップ７２１で文書画面フラグＤＤを反転する。文書画面フラグＤＤは、ＤＤ＝０で現在の表示が通常表示（図３）であることを示し、ＤＤ＝１で現在の表示がＤＯＣ表示（図４）であることを示すフラグである。ステップ７２２でＤＤが０か１かを判定する。１のときは、通常表示からＤＯＣ表示への変更であるので、ステップ７２３で現在表示されている通常画面（図３）を退避し、ステップ７２４でＤＯＣ表示画面（図４）を表示する。この表示では、自動追従モードオンのときは、カレントポインタＣＰ５１４が指すＤイベントの位置データ５１３の位置を表示するものとし、一方、自動追従モードオフのときは、直前に表示されていた位置（退避してあったもの）を表示するものとする。またステップ７２５で、ＤＯＣボタンをオン表示の表示態様（図４の３２２）で表示し、終了する。ステップ７２２でＤＤ＝０のときは、ステップ７２６で文書画面（図４）を退避し、ステップ７２７で退避してあった通常画面を表示し、ステップ７２８でＤＯＣボタンをオフ表示（図４の３２２）として、終了する。
【００４２】
図８は、現タイムコードＴＣが入力されたときに実行されるＴＣ入力イベント処理のフローチャートである。この処理は、例えば所定時間間隔で現タイムコードＴＣが入力される毎に実行される。ステップ８０１で、Ｅリストがオンされているか判別する。そうでないときはステップ８０５に進む。Ｅリストオンのときは、ステップ８０２で、入力した現タイムコードＴＣとＥリストに基づき、現ポインタＥＤ５０４以降のイベント（現ポインタＥＤ５０４が指すイベントを含む）で、かつ、入力した現タイムコードＴＣ以降のトリガデータの値を持つイベントを、Ｅリストから検出する。ステップ８０３で、そのようなイベントが無いときは、ステップ８０５に進む。有るときは、ステップ８０４で、ＮＥＸＴボタンオンイベント（図７（ａ））と同じ処理を繰り返し、ステップ８０２で検出された全てのイベントを実行し、ステップ８０５に進む。
【００４３】
ステップ８０５では、Ｄリストがオンされているか（自動追従モードオンか）判定する。そうでないときは処理を終了する。Ｄリストオンのときは、ステップ８０６で、入力した現タイムコードＴＣとＤリスト（図５（ｂ））に基づき、トリガデータ５１２の中から、その時刻値が現タイムコードＴＣを超えない中で最大の時刻タグを検出する。そのような時刻タグがトリガデータ５１２中に無いときは、ステップ８０７から処理を終了する。有るときは、ステップ８０７から８０８に進み、カレントポインタＣＰ５１４を当該時刻タグのＤイベントを指すように設定する。ステップ８０９では、ステップ８０８の設定でカレントポインタＣＰ５１４が変更されたかをチェックする。ＣＰに変更がなければ、表示位置は変更されていないということであるから、そのまま処理を終了する。ＣＰに変更があれば、ステップ８１０でドキュメントフラグＤＤが０か判定し、そうであるときは、現在通常表示がなされているということであるから、ステップ８１２で通常表示におけるＤＯＣボタン３２２をアラート表示（ここでは点滅させる）とし、終了する。ドキュメントフラグＤＤが０でないときは、現在ＤＯＣ表示中であるから、ステップ８１１でカレントポインタＣＰ５１４が指すＤイベントの位置データ５１３の位置が表示されるように、指定されている文書を画面表示し、処理を終了する。
【図面の簡単な説明】
【００４４】
【図１】実施形態のディジタルミキサのブロック構成図
【図２】本ディジタルミキサのパネル外観図
【図３】通常表示の例を示す図
【図４】ＤＯＣ表示の例を示す図
【図５】本ディジタルミキサのテーブル構成例を示す図
【図６】本ディジタルミキサの処理を示すフローチャート（その１）図
【図７】本ディジタルミキサの処理を示すフローチャート（その２）図
【図８】本ディジタルミキサの処理を示すフローチャート（その３）図
【符号の説明】
【００４５】
１００…ディジタルミキサ、１０１…ＣＰＵ、１０２…フラッシュメモリ、１０３…ＲＡＭ、１０４…その他Ｉ／Ｏ、１０５…表示器、１０６…電動フェーダ、１０７…操作子、１０８…タイムコードＩ／Ｏ、１０９…波形Ｉ／Ｏ、１１０…信号処理部（ＤＳＰ）、１１１…バスライン、１２０…マルチトラックレコーダ。
【図１】
2007274639.tif 000003
【図２】
2007274639.tif 000004
【図３】
2007274639.tif 000005
【図４】
2007274639.tif 000006
【図５】
2007274639.tif 000007
【図６】
2007274639.tif 000008
【図７】
2007274639.tif 000009
【図８】
2007274639.tif 000010